(57)【特許請求の範囲】
【請求項１】
ダンボール製の屋根、側壁部および扉部とから成り、コの字状に折曲される側壁部と屋根の固定が、屋根の両側に形成された折曲部が側壁部の左右側壁の上部の外側を被うように重なり、側壁部の奥壁の上部に形成した折曲部が内側に折れ曲り屋根と重なリ、そして各重なり箇所で適宜固定され、さらにドアが中央に形成された扉部が、両側に形成された折曲部と側壁部の開口部端とが重り合って固定され、組立てられることを特徴とする簡易組立て式カーフハッチ
【請求項２】
屋根内側の中央位置の側壁部の左右側壁間に、補強あるいは点滴、赤外線ランプなどを掛ける用途に使用するためのパイプを渡してあることを特徴とするる請求項１に記載の簡易組立て式カーフハッチ
【請求項３】
扉部の両側折曲部が外側に折曲されて側壁部に重合され、固定されることを特徴とする請求項１に記載の簡易組立て式カーフハッチ
【発明の詳細な説明】
【０００１】
【発明の属する技術分野】
仔牛の哺育育成をする際に、母牛から離乳させた後に使用する仔牛哺育育成用小屋（カーフハッチ）に関するものである。
【０００２】
【従来の技術】
仔牛は誕生後、母牛や仔牛同士の接触による疾病感染を予防し伝播を防ぐ目的で別々に管理するために仔牛哺育育成用小屋（カーフハッチ）に入れ哺育する。
従来のカーフハッチは、木（コンパネ）あるいはプラスチック、主にＦＲＰ製が多い。
近年、登録実用新案第３０４４７２６号に記載されるようなダンボール製のものも発明されている。
【０００３】
【発明が解決しようとする課題】
従来の木あるいはプラスチック、主にＦＲＰ製のカーフハッチは、堅牢で繰り返し使用できるが、嵩さ張り搬送に不便である。破損した場合にも仔牛が足を挟みこみケガをする恐れもある。そしてプラスチックは廃棄処理になじまないものである。
木製のものにあっては、１年以上使用すると細菌が繊維中に蓄積され疾病率が高くなるため、殺菌消毒などの処理をしても事故率が軽減できない。また、防腐剤、殺菌剤などの薬剤が逆に仔牛に悪影響を及ぼしてしまう。
【０００４】
これら従来の木あるいはプラスチック製のものは、他の仔牛からの感染症を予防するための隔離には適しているが、仔牛の哺育育成上において必須の要件である衛生的な環境を保持する上において劣っている。
【０００５】
糞尿からはアンモニアガスおよび水分が発生するため、この処理がなされないと、呼吸器疾患、感染症等の問題が生じてしまう。そのため衛生的な環境を保持するために、頻繁な掃除、消毒が必要となり、手間が掛るとともにコストも掛かってしまう。
【０００６】
そこで近年、糞尿からのアンモニアガスの吸着性および水分に対する吸水ならびに吸湿性が比較的に良い、多孔質であるダンボールを使用するものが、発明されている。登録実用新案第３０４４７２６号に記載されている。
【０００７】
しかしこれにあっても未だアンモニアガスの吸着性、あるいは吸水、吸湿性において十分で無いため、換気のための通気孔を設けている。そのためハッチ内の保温効果が失われ疾病の原因となっていた。また前記実用新案は諸箇所を係合させながら組立てるため、組立てが簡単でない欠点を有していた。
【０００８】
【課題を解決するための手段】
そこで本発明は、アンモニアガスの吸着性、あるいは吸水、吸湿性が良く衛生的であり、かつ保温性が良くそして組立てが簡単なダンボール製カーフハッチを提供するものである。
【０００９】
そのために、本発明は、すべてダンボールからなり、ガスの吸着性が良く、また吸水、吸湿性の良い多孔質であるダンボールを使用し、屋根、側壁および扉の３部材をそれぞれの対応箇所で固定して組立てるだけで簡単に完成でき、しかも保温性が良く、掃除、消毒処理を不要としたカウハッチとしたものである。
また、折畳んだ状態ですべて板状に重ね合されてコンパクトになり運搬保管に便利な構造としてある。
【００１０】
【発明の実施の形態】
次に図に示す実施例に従って本発明を詳細に説明する。
本発明のカーフハッチは、図１の斜視図にて示すように、ダンボール製の屋根Ａ、側壁部Ｂそして扉部Ｃとで組立てられている。全体として扉Ｃ側が高くなるようにわずか傾斜している。各部はそれぞれに形成した孔同士を整合させて止め具にて固定されるようになっている。
【００１１】
屋根Ａは、図２に示すように、方形であり、両側（図において上下側）に折曲部１,１'が形成され、この折曲部１,１'には等間隔にて３箇所に止め孔２が設けられ、側壁部Ｂの上部に同様に設けられる止め孔３と整合する。中央に運搬保管時の折畳みのための折線４を入れてある。
【００１２】
側壁部Ｂは、図３に示すように中央に奥壁６が位置し、両側に左右側壁部７,８が連続し、かつ上部が入口方向（図で左右方向）でやや高くなるように傾斜している。そして前記したように、側壁部Ｂの上部には、屋根Ａの止め孔２と整合する止め孔３が形成されている。また、奥壁６の上部には内側への折曲部５が形成されている。さらに側壁部Ｂには適宜上下方向に折線（点線で示す）が入れてあり、折畳めるようにしてあるとともに強度を高めるようにしてある。
【００１３】
図４に扉部を示す。扉部Ｃの両側に外側への折曲部９,９'が形成され、さらにこの折曲部に止め孔１０が上下位置に設けられ、側壁部の入口方向側に設けられた孔１６に係合するようになっている。扉部Ｃの中央部に上辺を残した左右および下辺が切り抜かれてドアー１１が形成されている。したがって上辺を軸として下方より前方上方へ開閉される。扉の開閉のための取っ手穴を下方に設けておくと有利である。
【００１４】
次に図５にしたがって、カーフハッチの組立てを説明する。各部の構成は以上の通りであるので、まず、設置場所に藁を敷き、側壁部Ｂの左右側壁部７,８を同じ方向に折り曲げてコの字状にして藁の上に置き、この側壁部Ｂの上に、屋根Ａの両側折曲部１,１'が外側になるようにして被せ、整合した孔同士を止め具にて係止する。奥壁６の上部５も屋根内側に折曲され屋根と重合する。屋根内側の中央にはパイプ１２を通して補強しても良い。また、このパイプには点滴、赤外線ランプなどを掛ける用途に使用できる。そしてパイプも紙製としておけば、軽量化、廃棄上有利である。
【００１５】
側壁部Ｂの両側端で形成される開口に、扉Ｃの両側折曲部９,９'を嵌め込み、扉Ｃの両側の孔１０と左右側壁部７,８の入口方向の孔１６を整合し係合する。これによりドアー１１の外枠が固定されるので、ドアー１１を上方に開閉できる。
【００１６】
屋根Ａ、側壁部Ｂおよび扉部Ｃは、以上のように組立てられるので、屋根Ａと側壁部Ｂの接続箇所は、上部両側においては屋根Ａの両側の折曲部１,１'が側壁部に重なり、奥壁６の上部折曲部５も内側に折れ曲り屋根と重なっている。また扉部Ｃも両側折曲部９,９'が側壁部Ｂと重り合って固定され、扉部の上下端も両側折曲部９,９'の幅だけ内側に入って屋根あるいは設置面もしくは藁に接触する。したがって、各接続箇所はいずれも重合し、また内側に入り込んであるので、密閉性が良く、したがって保温性が良い。
【００１７】
屋根Ａ、側壁部Ｂおよび扉部Ｃはいずれも方形状の一枚のダンボール板からなるので、それぞれに適宜折線を入れておくことにより全部をコンパクトにまとめることができる。各図に示してある折線部で折曲して全てをまとめて折畳んだ例を図６に示してある。
【００１８】
【発明の効果】
本発明はダンボール製であるので、軽量で、また折畳めるので嵩張らず、持運びおよび保管に便利である。また、プラスチック製とは異なり破損した場合にも仔牛が足を挟みこみケガをする恐れがない。
そしてまた、糞尿からのアンモニアガスをダンボール面および藁敷き面における側壁部の切断端１３から良く吸着・吸収するので、呼吸器疾患から仔牛を護ることができる。また、安い費用で作成できるので使い捨てすることで、頻繁な掃除、消毒処理の手間もなく、かつ衛生的である。そして都合の良いことには、ダンボールボード内に浸入し、細菌・ウイルス・大腸菌が蓄積される頃にはダンボール製カーフハッチの耐用期間が過ぎ自然解体してしまうので、疾病の蔓延化が広く外部に及ぶことを防げる。
さらにまた各構成部の接続箇所が重り合い密閉されるので保温性が優れたものとなっている。
【図面の簡単な説明】
【図１】組立てたカーフハッチの斜視図
【図２】屋根の展開図
【図３】側壁部の展開図
【図４】扉部の展開図
【図５】組立て系統図
【図６】折畳み図
【図１】
0003813107.tif 000002
【図２】
0003813107.tif 000003
【図３】
0003813107.tif 000004
【図４】
0003813107.tif 000005
【図５】
0003813107.tif 000006
【図６】
0003813107.tif 000007